(57)【要約】【課題】コンパクトでかつ部品数が少ない構造を採りながら、車体用振動減衰装置を車体側に正しく取付けることができる車体用振動減衰装置の取付構造を提供する。【解決手段】モノコックボディ１のフロアパネル２２にフロントサスペンションメンバ１１、リヤサスペンションメンバ３１、リヤスタビリティブレース３７などの取付部品を取付ける取付用ボルト２１の頭部２４に延長部２４ａを設ける。この延長部２４ａは取付用ボルト２１の軸線上をねじ部２５とは反対側に延びるように形成する。この延長部２４ａに雄ねじ２７を形成する。この雄ねじ２７に車体用振動減衰装置２６の取付ブラケット４２，４３を取付けた。【選択図】  図２
2008105534.tif 000002
【特許請求の範囲】
【請求項１】
細長い形状に形成されかつその長手方向の変形に対して減衰力が発生する油圧式減衰力発生手段と、
前記油圧式減衰力発生手段の両端部を車体側の部材に取付ける取付部とによって形成された車体用振動減衰装置を車両底部の車体フレームに取付ける車体用振動減衰装置の取付構造であって、
前記車体フレームの底部に取付部品を取付ける取付用ボルトの頭部に、このボルトの軸線上をねじ部とは反対側に延びる延長部を設け、
この延長部に雄ねじを形成し、この雄ねじに前記車体用振動減衰装置の取付部を取付けたことを特徴とする車体用振動減衰装置の取付構造。
【請求項２】
請求項１記載の車体用振動減衰装置の取付構造において、前記取付部品は懸架装置であり、取付用ボルトは、前記懸架装置を車体フレームに取付けるものであり、車幅方向の一端部と他端部とに設けられた前記取付用ボルトに車体用振動減衰装置の一端部と他端部とを取付けたことを特徴とする車体用振動減衰装置の取付構造。
【請求項３】
請求項１記載の車体用振動減衰装置の取付構造において、前記取付部品は、車体フレームの２点間に架け渡される補強部材であり、前記取付用ボルトは、前記補強部材を車体フレームに取付けるものであり、車幅方向の一端部と他端部とに設けられた前記取付用ボルトに車体用振動減衰装置の一端部と他端部とを取付けたことを特徴とする車体用振動減衰装置の取付構造。
【発明の詳細な説明】
【技術分野】
【０００１】
本発明は、車体フレームの振動を減衰させる車体用振動減衰装置を車体フレームに取付けるための車体用振動減衰装置の取付構造に関するものである。
【背景技術】
【０００２】
従来、自動車の車体フレームには、走行中に懸架装置からの衝撃が加えられることがある。この場合、車体フレームには、懸架装置が取付けられている２点間において瞬間的に圧縮された直後に解放される現象により振動が発生することがある。
【０００３】
このように車体フレームに振動が発生すると乗り心地が著しく損なわれてしまうため、このような振動が発生することがないようにすることが望ましい。
車体フレームに振動が発生するのを防ぐことができる従来の車体用振動減衰装置としては、たとえば特許文献１に記載されているものがある。
【０００４】
この特許文献１に開示された車体用振動減衰装置は、油圧やゴムの弾性を用いて振動を減衰する減衰力発生手段が中間部分に設けられた棒状に形成されている。この車体用振動減衰装置は、懸架装置の車幅方向に対をなす部分どうしの間に架け渡されるように取付けられている。
【０００５】
この車体用振動減衰装置の車体への取付けは、車体用振動減衰装置の両端に設けられた取付部を直接または専用の取付用ブラケットを介して車体側に専用の取付用ボルトにより取付けることによって行われている。車体用振動減衰装置が取付けられる車体側の部位とは、懸架装置の左右一対のクッションユニットの上端部や、この上端部の近傍に位置する車体フレームなどである。
【特許文献１】特開２００２−２１１４３７号公報
【発明の開示】
【発明が解決しようとする課題】
【０００６】
上述した特許文献１に示されている車体用振動減衰装置の取付構造では、車体フレームに車体用振動減衰装置の取付部を取付けるための専用の取付スペースを設けなければならない。一方、一般に、自動車においては、懸架装置の周辺に操舵系の部品やブレーキ用の部品などの多くの部品が密集するように配設されている。このため、特許文献１に示されている車体用振動減衰装置の取付構造では、前記取付スペースを確保しなければならないために、懸架装置の周辺近傍に設けられる他の部品の取付位置に制約を受けるという問題があった。
【０００７】
また、専用の取付用ブラケットを使用して車体用振動減衰装置を車体側に取付ける場合は、この取付用ブラケットの分だけ占有スペースがさらに広くなるばかりか、取付用ブラケットの分だけ部品数が多くなって製造コストが高くなる。
【０００８】
車体用振動減衰装置を車体側にコンパクトにかつ部品数が少なくなるように取付けるためには、車体用振動減衰装置を懸架装置取付用ボルトにより懸架装置と共締めによって車体フレームに取付けることが考えられる。しかし、このような取付構造では、車体用振動減衰装置を車体側に正しく取付けることはできない。これは、懸架装置を車体フレームに取付けるための取付用ボルトは、懸架装置を車体に強固に取付けることができるように、高い締付トルクによって締め付けられるからである。
【０００９】
この取付用ボルトを締め付けるときのトルクは、摩擦によって車体用振動減衰装置の取付部に伝達される。このため、車体用振動減衰装置には、取付用ボルトが貫通する端部を中心として回転するような力が加えられる。車体用振動減衰装置は、両端部が取付用ボルトによって車体側に取付けられているから、前記高い締付トルクが車体用振動減衰装置の両端部に作用することになる。
【００１０】
すなわち、前記取付用ボルトを高いトルクで締め付けた結果、車体用振動減衰装置にこれを剪断するような力が両端側から加えられ、車体用振動減衰装置が不必要に歪んだ状態で車体に取付けられるから、上述したように車体用振動減衰装置を車体側に正しく取付けることができない。これは、ストロークがミクロンオーダーである車体用振動減衰装置にとって大きな問題である。
【００１１】
このような不具合は、車体用振動減衰装置の回転を阻止する回り止め部材を車体側に設けることによって解消することができる。しかし、取付用ボルトから加えられた高い締付トルクに抗して車体用振動減衰装置の回転を阻止するためには、回り止め部材自体を大きく強固に形成しなければならず、かえって取付構造が大型になってしまうおそれがある。
【００１２】
本発明はこのような問題を解消するためになされたもので、コンパクトでかつ部品数が少ない構造を採りながら、車体用振動減衰装置を車体側に正しく取付けることができる車体用振動減衰装置の取付構造を提供することを目的とする。
【課題を解決するための手段】
【００１３】
この目的を達成するために、本発明に係る車体用振動減衰装置の取付構造は、細長い形状に形成されかつその長手方向の変形に対して減衰力が発生する油圧式減衰力発生手段と、前記油圧式減衰力発生手段の両端部を車体側の部材に取付ける取付部とによって形成された車体用振動減衰装置を車両底部の車体フレームに取付ける車体用振動減衰装置の取付構造であって、前記車体フレームの底部に取付部品を取付ける取付用ボルトの頭部に、このボルトの軸線上をねじ部とは反対側に延びる延長部を設け、この延長部に雄ねじを形成し、この雄ねじに前記車体用振動減衰装置の取付部を取付けたものである。
【００１４】
請求項２に記載した発明に係る車体用振動減衰装置の取付構造は、請求項１に記載した車体用振動減衰装置の取付構造において、前記取付部品は懸架装置であり、前記取付用ボルトは、前記懸架装置を車体フレームに取付けるものであり、車幅方向の一端部と他端部とに設けられた前記取付用ボルトに車体用振動減衰装置の一端部と他端部とを取付けたものである。
【００１５】
請求項３に記載した発明に係る車体用振動減衰装置の取付構造は、請求項１に記載した車体用振動減衰装置の取付構造において、前記取付部品は、車体フレームの２点間に架け渡される補強部材であり、前記取付用ボルトは、前記補強部材を車体フレームに取付けるものであり、車幅方向の一端部と他端部とに設けられた前記取付用ボルトに車体用振動減衰装置の一端部と他端部とを取付けたものである。
【発明の効果】
【００１６】
本発明によれば、車体用振動減衰装置は、車体フレームの底部に取付部品を取付けた取付用ボルトに実質的に取付けられることになる。このため、前記取付部品や取付部品の近傍に車体用振動減衰装置を直接またはブラケットを介して取付ける場合に較べて、車体用振動減衰装置をコンパクトに車体側に取付けることができる。
【００１７】
しかも、車体用振動減衰装置を車体側に取付けるに当たって必要な専用の部品は２個のナット程度でよく、専用のブラケットや専用の取付用ボルトなどは一切不要である。このため、本発明によれば、車体用振動減衰装置を車体フレームに取付けるに当たって、従来の取付構造に較べて部品数を低減することができる。
【００１８】
前記取付用ボルトを車体フレームに締め付ける際の締付トルクは、取付用ボルトの頭部と、車体フレーム側に位置するねじ部とに加えられ、車体用振動減衰装置を取付ける雄ねじに加えられることはない。このため、１本の取付用ボルトによって取付部品と車体用振動減衰装置とを車体フレームに取付ける取付構造であるにもかかわらず、車体用振動減衰装置を取付けるための締付トルクを最適な大きさに設定することができ、車体用振動減衰装置を高い締付トルクにより変形させることなく、正しい取付状態となるように車体フレームに取付けることができる。
【００１９】
したがって、本発明によれば、コンパクトでかつ部品数が少ない構造を採りながら、車体用振動減衰装置を車体側に正しく取付けることが可能な車体用振動減衰装置の取付構造を提供することができる。
【００２０】
請求項２記載の発明によれば、懸架装置を車体フレームに取付けるための左右一対の取付用ボルトに車体用振動減衰装置を取付けることができるから、懸架装置が発振源となってフレームに生じる振動を車体用振動減衰装置によって減衰させることができる。
【００２１】
請求項３記載の発明によれば、車体フレーム用補強部材を車体フレームに取付けるための左右一対の取付用ボルトに車体用振動減衰装置を取付けることができるから、車体用振動減衰装置を強固に車体フレームに取付けることができ、車体フレームの振動を確実に減衰させることができる。
【発明を実施するための最良の形態】
【００２２】
以下、本発明に係る車体用振動減衰装置の取付構造の一実施の形態を図１ないし図６によって詳細に説明する。
図１は本発明に係る車体用振動減衰装置を装備した自動車の構成を示す底面図、図２は車体用振動減衰装置を車体フレームに取付けた状態を示す正面図で、同図においては、車体フレーム側の部材を破断した状態で描いてある。図３は図２におけるIII−III線断面図、図４は前輪懸架装置の取付用ボルトに車体用振動減衰装置を取付ける具体例を示す斜視図、図５は後輪懸架装置の取付用ボルトとリヤスタビリティブレースの取付用ボルトとの両方に車体用振動減衰装置を取付ける具体例を示す斜視図、図６は後輪懸架装置の取付用ボルトに取付けられた車体用振動減衰装置を車体の下方から見た状態を示す斜視図である。
【００２３】
これらの図において、符号１で示すものは、自動車の車体フレームとしてのモノコックボディを示す。このモノコックボディ１は、プレス加工された複数の板材またはパイプを溶接し組合わせることによって形成されている。
モノコックボディ１の前端部には、前輪２を有する前輪懸架装置３が設けられている。一方、モノコックボディ１の後端部には、後輪４を有する後輪懸架装置５が設けられている。
【００２４】
前記前輪懸架装置３は、従来からよく知られているダブルウィッシュボーン型のもので、図１および図４に示すように、本発明でいう取付部品の一つを構成するフロントサスペンションメンバ１１と、このフロントサスペンションメンバ１１に上下方向に揺動自在に支持された左右一対のロアアーム１２と、図示していない左右一対のナックル、アッパーアームおよびクッションユニットなどによって構成されている。
【００２５】
図４に示すフロントサスペンションメンバ１１の上には、パワーステアリング装置１３が取付けられている。
前記フロントサスペンションメンバ１１は、前輪懸架装置３を構成する各部品を支持する骨格をなすものである。このフロントサスペンションメンバ１１の車体前側の端部であって車幅方向の両端部と、車体後側の端部であって車幅方向の両端部とには、このフロントサスペンションメンバ１１をモノコックボディ１に取付けるためのマウント部材１４がそれぞれ設けられている。
【００２６】
前記マウント部材１４は、図２に示すように、フロントサスペンションメンバ１１に設けられた連結用筒体１１ａに嵌合して溶接された外筒１５と、この外筒１５内に同一軸線上に位置するように配設された内筒１６と、これら外筒１５と内筒１６との間に介装されたダンパーゴム１７とから構成されている。
【００２７】
前記４個のマウント部材１４のうち、車体前側に位置する２個のマウント部材１４，１４は、図２に示すように、後述する取付用ボルト２１によって、モノコックボディ１の底部を構成するフロアパネル２２に取付けられている。取付用ボルト２１は、マウント部材１４を貫通し、フロアパネル２２の上面に溶接されたナット２３に螺着している。
【００２８】
この取付用ボルト２１の頭部２４は、この取付用ボルト２１の軸線上をねじ部２５とは反対側に延びる延長部２４ａが一体に設けられており、一般的なボルトの頭部に較べて長く形成されている。この実施の形態による頭部２４は、断面６角形状に形成されている。この頭部２４の前記延長部２４ａには、後述する車体用振動減衰装置２６を取付けるための雄ねじ２７が同一軸線上に位置するように形成されている。なお、前記頭部２４の形状は、断面６角形に限定されることはなく、締付用工具（図示せず）が係合可能な形状であれば、どのような形状にも形成することができる。
【００２９】
前記４個のマウント部材１４のうち車体後側に位置する２個のマウント部材１４，１４は、図示してはいないが、前記取付用ボルト２１より頭部２４が短く形成された一般的なボルトによってフロアパネル２２に取付けられている。
すなわち、フロントサスペンションメンバ１１は、前記４個のマウント部材１４と、２本の取付用ボルト２１と、２本の一般的なボルト（図示せず）とによってフロアパネル２２の下面に取付けられている。
【００３０】
後輪懸架装置５は、従来からよく知られているダブルウィッシュボーン型のものである。この後輪懸架装置５は、図１および図６に示すように、リヤサスペンションメンバ３１と、前側ロアアーム３２と、後側ロアアーム３３と、ナックル３４と、アッパーアーム３５と、リヤクッションユニット３６などによって構成されている。
【００３１】
リヤサスペンションメンバ３１は、後輪懸架装置５を構成する各部品を支持する骨格をなすものである。このリヤサスペンションメンバ３１の車体前側の端部であって車幅方向の両端部と、車体後側の端部であって車幅方向の両端部には、このリヤサスペンションメンバ３１をモノコックボディ１に取付けるためのマウント部材１４がそれぞれ設けられている。これらのマウント部材１４は、図２に示したマウント部材１４と同一の構造のものである。
【００３２】
これら後輪懸架装置用の４個のマウント部材１４のうち、車体後側に位置する２個のマウント部材１４は、図２に示すように、取付用ボルト２１によってフロアパネル２２に取付けられている。すなわち、リヤサスペンションメンバ３１の後端部は、フロントサスペンションメンバ１１の前端部と同一の取付構造によってフロアパネル２２に取付けられている。このため、このリヤサスペンションメンバ３１の後端部をフロアパネル２２に取付ける２本の取付用ボルト２１，２１にも後述する車体用振動減衰装置２６が取付けられている。
【００３３】
前記４個の後輪懸架装置用マウント部材１４のうち車体前側に位置する２個のマウント部材１４は、図示してはいないが、前記取付用ボルト２１より頭部２４が短く形成された一般的なボルトによってフロアパネル２２に取付けられている。これら２個のマウント部材１４が設けられているリヤサスペンションメンバ３１の左右一対の前端部の下面には、請求項３記載の発明でいう補強部材としてのリヤスタビリティブレース３７の後端部がそれぞれ取付けられている。
【００３４】
これらのリヤスタビリティブレース３７，３７は、前記リヤサスペンションメンバ３１の前端部と、フロアパネル２２におけるリヤサスペンションメンバ３１の前端部より前方に離間した部位とを接続し、リヤサスペンションメンバ３１の取付剛性およびその周辺のフロアパネル２２の剛性を向上させている。これらのリヤスタビリティブレース３７，３７の前端部は、図２に示す取付構造によってフロアパネル２２に取付けられている。
【００３５】
詳述すると、リヤスタビリティブレース３７の前端部は、マウント部材１４が設けられており、このマウント部材１４と、マウント部材１４を貫通する取付用ボルト２１とによってフロアパネル２２に取付けられている。この取付用ボルト２１にも後述する車体用振動減衰装置２６が取付けられている。なお、リヤスタビリティブレース３７の後端部は、リヤサスペンションメンバ３１の前端部を上述した取付用ボルト２１によってフロアパネル２２に取付けることにより、この取付用ボルト２１の下端部に取付けることができる。この場合、リヤスタビリティブレース３７は、図１中に２点鎖線で示す位置に配設される。
【００３６】
車体用振動減衰装置２６は、図２および図３に示すように、前記２本の取付用ボルト２１にナット４１を締め付けることによって取付けられた取付ブラケット４２，４３と、これらの取付ブラケット４２，４３のうち一方の（図２おいては左側）の取付ブラケット４２に一端部が溶接された油圧シリンダ４４を有する油圧式減衰器４５と、この油圧式減衰器４５のピストンロッド４６と他方の取付ブラケット４３とを連結する延長用ロッド４７とから構成され、全体が細長い形状に形成されている。前記取付ブラケット４２，４３によって本発明でいう取付部が構成され、油圧式減衰器４５によって油圧式減衰力発生手段が構成されている。
【００３７】
前記取付ブラケット４２，４３は、図３に示すように、油圧シリンダ４４または延長用ロッド４７に嵌合した状態で溶接された嵌合部４２ａ，４３ａと、前記取付用ボルト２１に取付けられる板状部４２ｂ，４３ｂとから構成されている。この板状部４２ｂ，４３ｂには、取付用ボルト２１の雄ねじ２７が挿通する貫通孔４８が形成されている。この貫通孔４８は、取付用ボルト２１間の製造ないし組付誤差を吸収できるように、車体用振動減衰装置２６の長手方向に長い長孔によって形成されている。
【００３８】
油圧式減衰器４５は、図３に示すように、一方の取付ブラケット４２によって一端部が閉塞されたシリンダチューブ５１を有する前記油圧シリンダ４４と、この油圧シリンダ４４のピストン５２に設けられた絞り５３とによって構成されている。
シリンダチューブ５１の一端部は、前記一方の取付ブラケット４２が溶接されることによって閉塞されている。シリンダチューブ５１の他端部は、ピストンロッド４６を移動自在に支持するロッドガイド５４によって閉塞されている。このロッドガイド５４は、シリンダチューブ５１内に嵌合され、シリンダチューブ５１にサークリップ５４ａ，５４ｂによって固定されている。
【００３９】
このロッドガイド５４の軸線方向の両端部には、ピストンロッド４６が貫通する部分をシールするためのシール部材５５，５６が設けられている。
ピストン５２は、シリンダチューブ５１内に嵌合するように断面円形に形成され、シリンダチューブ５１内の第１の油室５７と第２の油室５８とを画成しており、軸心部を貫通するピストンロッド４６に固定用ナット４６ａによって固定されている。
【００４０】
第１の油室５７は、ピストン５２と、シリンダチューブ５１内に移動自在に嵌合されたフリーピストン５９との間に形成されている。このフリーピストン５９は、シリンダチューブ５１の一端部内を第１の油室５７と高圧ガス室６０とに画成している。この高圧ガス室６０には、高圧のＮ2ガスが充填されている。
【００４１】
また、ピストン５２は、ロッドガイド５４との間に弾装された圧縮コイルばね６１によって、油圧シリンダ４４が収縮する方向に付勢されている。この圧縮コイルばね６１は、シリンダチューブ５１内の作動油からピストン５２に加えられるガス反力を相殺するためのものである。このガス反力は、ピストン５２の第１の油室５７側の受圧面積より第２の油室５８側の受圧面積の方が小さいことにより生じる。
【００４２】
この実施の形態による油圧式減衰器４５においては、前記ガス反力が圧縮コイルばね６１の弾発力によって打ち消されてバランスした状態が自由長になる。この油圧式減衰器４５は、この自由長が車体への取付寸法と一致するようＮ2ガスの圧力が調整される。
このように自由長を車体への取付寸法に一致させることにより、車体に取付けたときの初期荷重が０となって僅かな荷重が加えられても即座に応答性よく油圧式減衰器４５が収縮し、減衰力を発生させることができる。
【００４３】
ピストン５２に設けられた絞り５３は、懸架装置用ショックアブソーバなどで使用されているものと同じ構造のものである。この絞り５３は、ピストン５２に穿設された連通孔６２，６３の一端部の開口を開閉する板ばね６４，６５を備えた第１、第２の逆止弁６６，６７によって構成されている。板ばね６４，６５は、円環状に形成されており、複数枚重ねた状態で内周部がピストン５２に固定されている。
【００４４】
第１の逆止弁６６は、第１の油室５７から第２の油室５８へ一方向に板ばね６４の弾発力に抗して作動油が流れることにより減衰力を発生させる。第２の逆止弁６７は、第２の油室５８から第１の油室５７へ一方向に板ばね６５の弾発力に抗して作動油が流れることにより減衰力を発生させる。
【００４５】
ピストンロッド４６の先端部と他方の取付ブラケット４３とを接続する延長用ロッド４７は、パイプによって形成され、一端部がピストンロッド４６の先端部に螺着され、他端部が他方の取付ブラケット４３に溶接されている。
この延長用ロッド４７とピストンロッド４６との結合部分は、ピストンロッド４６に形成された雄ねじ４６ｂを延長用ロッド４７の雌ねじ４７ａに螺着させ、全長を任意に調整し、ロックナット６８によって締め付ける構造が採られている。
【００４６】
このねじ部分は、図３に示すように、延長用ロッド４７とシリンダチューブ５１とを接続するように設けられたゴムブーツ６９によって覆われている。このゴムブーツ６９は、ピストンロッド４６に泥水や塵埃が付着することを防ぐためのものである。このゴムブーツ６９は、円錐筒状に形成されており、一端部がシリンダチューブ５１の外周面に固着され、他端部が延長用ロッド４７の外周面に固着されている。
【００４７】
このように構成された車体用振動減衰装置２６のモノコックボディ１への取付けは、フロントサスペンションメンバ１１の前端部、リヤサスペンションメンバ３１の後端部およびリヤスタビリティブレース３７の前端部をフロアパネル２２に取付ける取付用ボルト２１に取付けることによって完了する。すなわち、先ず、取付用ボルト２１によってフロントサスペンションメンバ１１の前端部、リヤサスペンションメンバ３１の後端部およびリヤスタビリティブレース３７の前端部などを予めフロアパネル２２に取付ける。このときの取付用ボルト２１の締付トルクは、前記各部品を確実にフロアパネル２２に固定できる大きさに設定される。
【００４８】
次に、車体用振動減衰装置２６の取付ブラケット４２，４３の貫通孔４８に取付用ボルト２１の下端部の雄ねじ２７を挿通させ、この雄ねじ２７に図示してないワッシャ類を介してナット４１を締め付ける。このナット４１を締め付けることにより、取付ブラケット４２，４３の板状部４２ｂ，４３ｂが断面六角形状の頭部２４に下方から押し付けられて固定される。このようにナット４１を取付用ボルト２１の雄ねじ２７に締め付けることによって、車体用振動減衰装置２６の車体側への取付作業が終了する。
【００４９】
前記ナット４１を雄ねじ２７締め付けるときの締付トルクは、取付用ボルト２１をフロアパネル２２のナット２３に締め付けるときの締付トルクに較べて小さくてよく、車体用振動減衰装置２６を固定するに当たり最適な締付トルクとすることができる。
このように車体用振動減衰装置２６を取付用ボルト２１に取付けることにより、車体用振動減衰装置２６は、フロアパネル２２から下方に離間した位置において車幅方向に延びる状態でフロアパネル２２に対して固定される。
【００５０】
この車体用振動減衰装置２６は、フロアパネル２２より下方に離間して配設されているから、図６に示すように、リヤサスペンションメンバ３１を車体の前後方向に横切る排気管７１との干渉を避けることができる。なお、図６は、リヤスタビリティブレース３７を省略して描いてある。
【００５１】
この実施の形態で示した車体用振動減衰装置２６は、フロアパネル２２（車体フレームの底部）にフロントサスペンションメンバ１１、リヤサスペンションメンバ３１、リヤスタビリティブレース３７などの取付部品を取付けた取付用ボルト２１に取付けられているから、前記取付部品や取付部品の近傍に車体用振動減衰装置２６を直接または専用のブラケットを介して取付ける場合に較べて、車体用振動減衰装置２６をコンパクトに車体側に取付けることができる。
【００５２】
この車体用振動減衰装置２６を車体側に取付けるに当たって必要な専用の部品は各２個のワッシャ類とナット４１，４１のみでよく、専用のブラケットや専用の取付用ボルト２１などは不要である。このため、この実施の形態によれば、車体用振動減衰装置２６を車体側（車体フレーム）に取付けるに当たって、従来の取付構造に較べて部品数を低減することができる。
【００５３】
車体用振動減衰装置２６は、前記取付部品をフロアパネル２２に取付けた状態の取付用ボルト２１に取付けられる。すなわち、取付用ボルト２１のフロアパネル２２側のナット２３への締め付けと、ナット４１の取付用ボルト２１への締め付けとは個別に行われる。このため、１本の取付用ボルト２１によってフロントサスペンションメンバ１１、リヤサスペンションメンバ３１、リヤスタビリティブレース３７などの取付部品と車体用振動減衰装置２６とをフロアパネル２２に取付ける取付構造であるにもかかわらず、車体用振動減衰装置２６を取付けるための締付トルクを最適な大きさに設定することができる。
【００５４】
この結果、この実施の形態による取付構造によれば、車体用振動減衰装置２６を高い締付トルクの伝達により変形するのを防ぎながら、正しくフロアパネル２２に取付けることができる。
したがって、この実施の形態によれば、コンパクトでかつ部品数が少ない構造を採りながら、車体用振動減衰装置２６を車体側に正しく取付けることができる。
【００５５】
この実施の形態によれば、フロントサスペンションメンバ１１やリヤサスペンションメンバ３１をモノコックボディ１に取付けるための左右一対の取付用ボルト２１，２１に車体用振動減衰装置２６が取付けられているから、前輪懸架装置３や後輪懸架装置５が発振源となってモノコックボディ１に生じる振動を車体用振動減衰装置２６によって減衰させることができる。
【００５６】
また、この実施の形態によれば、リヤスタビリティブレース３７の前端部をモノコックボディ１に取付けるための左右一対の取付用ボルト２１，２１に車体用振動減衰装置２６が取付けられているから、車体用振動減衰装置２６を強固にモノコックボディ１に取付けることができ、モノコックボディ１に生じる振動を確実に減衰させることができる。
【図面の簡単な説明】
【００５７】
【図１】本発明に係る車体用振動減衰装置を装備した自動車の構成を示す底面図である。
【図２】車体用振動減衰装置を車体フレームに取付けた状態を示す正面図である。
【図３】図２におけるIII−III線断面図である。
【図４】前輪懸架装置の取付用ボルトに車体用振動減衰装置を取付ける具体例を示す斜視図である。
【図５】後輪懸架装置の取付用ボルトとリヤスタビリティブレースの取付用ボルトとの両方に車体用振動減衰装置を取付ける具体例を示す斜視図である。
【図６】後輪懸架装置の取付用ボルトに取付けられた車体用振動減衰装置を車体の下方から見た状態を示す斜視図である。
【符号の説明】
【００５８】
１…モノコックボディ、１１…フロントサスペンションメンバ、２２…フロアパネル、２４…頭部、２４ａ…延長部、２５…ねじ部、２７…雄ねじ、３１…リヤサスペンションメンバ、３７…リヤスタビリティブレース、４２，４３…取付ブラケット、４５…油圧式減衰器、４７…延長用ロッド。
【図１】
2008105534.tif 000003
【図２】
2008105534.tif 000004
【図３】
2008105534.tif 000005
【図４】
2008105534.tif 000006
【図５】
2008105534.tif 000007
【図６】
2008105534.tif 000008